(57)【要約】【課題】占有する空間、および体格の大型化が低減され、長期間安定した高い音質が得られる集塵機能付きのスピーカを提供する。【解決手段】電極板１１、１２と振動板１４との間には、交換可能であって、帯電しているクッション部材３１、３２が設けられている。スピーカ１０の作動により振動板１４が振動すると、電極板１１、１２の開口１３から空気が出入りする。クッション部材３１、３２側へ流入した空気中の異物は、クッション部材３１、３２を通過することによりクッション部材３１、３２に捕集される。したがって、スピーカ１０本来の音声を発するという機能を発揮しつつ、集塵機としても機能を発揮する。これにより、占有スペースの増大および体格の大型化を招くことがない。また、異物がクッション部材３１、３２によって捕集されるため、振動板１４への異物の付着が低減される。したがって、長期間安定した音質を維持することができる。【選択図】図１
2008148195.tif 000002
【特許請求の範囲】
【請求項１】
少なくともいずれか一方が空気を透過可能な開口を有し、対向して配置されている一対の電極板と、
一対の前記電極板の間に、前記電極板とそれぞれ所定の距離を形成して挟まれている振動板と、
前記電極板と前記振動板との間に形成される空間にそれぞれ交換可能に設けられ、前記電極板と前記振動板との間を支持する柔軟な材料で形成されているクッション部材と、
を備える集塵機能付きのスピーカ。
【請求項２】
前記クッション部材は、帯電している請求項１記載の集塵機能付きのスピーカ。
【請求項３】
前記クッション部材は前記クッション部材の周縁部を支持する支持部とともにカセットを形成し、前記カセットは前記電極板と前記振動板との間に形成される各空間から着脱可能である請求項１または２記載の集塵機能付きのスピーカ。
【請求項４】
前記クッション部材を、前記電極板と前記振動板との間に形成される空間の内部で移動させるクッション部材駆動手段を備える請求項１または２記載の集塵機能付きのスピーカ。
【請求項５】
前記クッション部材駆動手段は、前記クッション部材を前記空間の一方の側から他方の側へ巻き取る巻き取り部を有する請求項４記載の集塵機能付きのスピーカ。
【請求項６】
前記クッション部材駆動手段は、前記空間を通して前記クッション部材を循環駆動する循環駆動部と、前記クッション部材に集塵された異物を吸着する吸着部と、を有する請求項４記載の集塵機能付きのスピーカ。
【請求項７】
前記振動板を、可聴範囲外の低周波で駆動する振動駆動部をさらに備える請求項１から６のいずれか一項記載の集塵機能付きのスピーカ。
【請求項８】
少なくともいずれか一方が空気を透過可能な開口を有し、対向して配置されている一対の電極板と、
一対の前記電極板の間に、前記電極板と所定の距離を形成して挟まれている振動板と、
前記電極板と前記振動板との間に形成される空間にそれぞれ交換可能に設けられ、前記電極板と前記振動板との間を支持し帯電している柔軟な材料で形成され、前記振動板の振動によって前記開口を通して出入りする空気に含まれる異物を捕集するクッション部材と、
前記振動板を、可聴範囲外の低周波で駆動する振動駆動部と、
を備えるスピーカ機能付きの集塵機。
【発明の詳細な説明】
【技術分野】
【０００１】
本発明は、スピーカに関し、特に静電型のスピーカに集塵機能を付加した集塵機能付きのスピーカに関する。
【背景技術】
【０００２】
従来、特許文献１に開示されているように静電型のスピーカが広く提案されている。このような静電型のスピーカは、一対の電極板と、この電極板の間に挟まれている振動板と、振動板を電極板との間に支持するクッション部材とを備えている。振動板にバイアス電圧を加えつつ、一対の電極板に信号を供給することにより、振動板は振動し、音声を発生する。静電型のスピーカの場合、クッション部材を設けることにより、電極板と振動板との間の距離を精密に維持し、音圧の向上を図っている。
【０００３】
ところで、アレルギーは、花粉、ハウスダストあるいはタバコの煙などのアレルゲンによって引き起こされることが知られている。アレルゲンはアレルギーの原因となるため、住環境からのこれらアレルゲンの除去が注目されている。そこで、近年では、アレルゲンを捕集する多様な集塵機能を有する集塵機が広く用いられている。
【０００４】
しかしながら、従来の集塵機は、単に集塵機能を有する機器として構成されたり、従来の家電製品に集塵機能を追加することにより構成されている。このように単に集塵機能のみを有する集塵機の場合、設置するために所定の空間を必要とする。そのため、集塵機の使用の有無に関わらず、住居の室内の一定空間を占有するという問題がある。また、従来の家電製品に集塵機能を追加する場合、家電製品本来の機能部とは別に集塵機能部が設けられる。そのため、家電製品の大型化を招き、結果として占有空間の増大を招くという問題がある。また、スピーカの振動板は、静電気により帯電するため、作動時に空気中の塵や埃が付着しやすくなる。そのため、振動板の振動が妨げられ、音質の悪化を招くという問題がある。
【０００５】
【特許文献１】特開平１１−１７８０９８号公報
【発明の開示】
【発明が解決しようとする課題】
【０００６】
そこで、本発明の目的は、占有する空間、および体格の大型化が低減され、長期間安定した高い音質が得られる集塵機能付きのスピーカを提供することにある。
また、本発明の他の目的は、占有する空間、および体格の大型化が低減され、長期間安定した高い音質が得られるスピーカ機能付きの集塵機を提供することにある。
【課題を解決するための手段】
【０００７】
（１）本発明は、少なくともいずれか一方が空気を透過可能な開口を有し、対向して配置されている一対の電極板と、一対の前記電極板の間に、前記電極板とそれぞれ所定の距離を形成して挟まれている振動板と、前記電極板と前記振動板との間に形成される空間にそれぞれ交換可能に設けられ、前記電極板と前記振動板との間を支持する柔軟な材料で形成されているクッション部材と、を備える。
スピーカは、本来の機能を発揮するために一対の電極板と、この一対の電極板の間に挟まれている振動板とを備えている。そして、電極板と振動板との間の距離を所定の範囲内に維持するためのクッション部材を備えている。電極板は少なくとも一方に開口を有している。そのため、振動板の振動によって、開口を通してクッション部材へ空気が出入りする。クッション部材へ出入りする空気は、振動板の振動にともなってクッション部材を通過することにより、含まれる異物が表面積の大きなクッション部材に捕集される。その結果、クッション部材は、空気に含まれる異物を捕集する集塵機能を発揮する。空気中の異物はクッション部材によって捕集されるため、振動板への異物の付着が低減される。さらに、このクッション部材を交換可能とすることにより、捕集された異物が増加すると、クッション部材は容易に交換される。これらの結果、スピーカとしての体格を維持しつつ、集塵機としての機能が発揮される。したがって、占有する空間および体格の大型化を低減することができるとともに、長期間安定した音質を維持することができる。
【０００８】
（２）本発明では、前記クッション部材は、帯電している。
これにより、クッション部材は、静電フィルタとして例えば花粉、ハウスダスト、タバコの煙あるいはウィルスなど、ナノメートルオーダーの極めて微小な異物まで捕集する。したがって、集塵機能を向上することができる。
【０００９】
（３）本発明では、前記クッション部材は前記クッション部材の周縁部を支持する支持部とともにカセットを形成し、前記カセットは前記電極板と前記振動板との間に形成される各空間から着脱可能である。
クッション部材とは支持部とともにカセットを形成することにより、クッション部材は電極板と振動板との間において容易に着脱可能である。したがって、クッション部材を容易に交換することができる。
【００１０】
（４）本発明では、前記クッション部材を、前記電極板と前記振動板との間に形成される空間の内部で移動させるクッション部材駆動手段を備える。
これにより、クッション部材が捕集した異物によって汚染されたとき、クッション部材を空間の内部で移動させることにより、空間には清浄なクッション部材が位置する。したがって、クッション部材を容易に交換することができ、集塵機能を向上することができる。
【００１１】
（５）本発明では、前記クッション部材駆動手段は、前記クッション部材を前記空間の一方の側から他方の側へ巻き取る巻き取り部を有する。
例えば空間の一方の端部に清浄なクッション部材を巻き込んでおき、定期的に空間を経由して他方の端部に巻き取ることにより、空間には常に清浄なクッション部材が位置する。したがって、清浄なクッション部材に容易に交換することができ、集塵機能を向上することができる。
【００１２】
（６）本発明では、前記クッション部材駆動手段は、前記空間を通して前記クッション部材を循環駆動する循環駆動部と、前記クッション部材に集塵された異物を吸着する吸着部と、を有する。
クッション部材は循環駆動部によって定期的に空間を循環されるとともに、クッション部材に捕集された異物は吸着部で吸着される。これにより、空間には、常に清浄なクッション部材が位置する。したがって、清浄なクッション部材に容易に交換することができ、集塵機能を向上することができる。
【００１３】
（７）本発明では、前記振動板を、可聴範囲外の低周波で駆動する振動駆動部をさらに備える。
スピーカとして機能するとき、振動板は可聴範囲の周波数で振動するように駆動される。一方、スピーカとして機能しないとき、振動板を可聴範囲以外の低周波で振動させることにより、開口を通してクッション部材への空気の出入りが促進される。この場合、例えば０．１Ｈｚ程度の極めて低周波で振動板を振動させることにより、空気は開口を通して緩やかにクッション部材へ出入りする。その結果、異物を含む空気は、クッション部材をゆっくりと通過し、クッション部材による集塵効果が向上する。したがって、スピーカとして機能するときは可聴範囲で振動板を振動させることにより音声を発しつつ集塵できるとともに、スピーカとして機能しないときは可聴範囲外で振動板を振動させることにより人体に感じられる音を発することなく集塵することができる。
【００１４】
（８）本発明は、少なくともいずれか一方が空気を透過可能な開口を有し、対向して配置されている一対の電極板と、一対の前記電極板の間に、前記電極板と所定の距離を形成して挟まれている振動板と、前記電極板と前記振動板との間に形成される空間にそれぞれ交換可能に設けられ、前記電極板と前記振動板との間を支持し帯電している柔軟な材料で形成され、前記振動板の振動によって前記開口を通して出入りする空気に含まれる異物を捕集するクッション部材と、前記振動板を、可聴範囲外の低周波で駆動する振動駆動部と、を備える。
スピーカは、本来の機能を発揮するために一対の電極板と、この一対の電極板の間に挟まれている振動板とを備えている。そして、電極板と振動板との間の距離を所定の範囲内に維持するためのクッション部材を備えている。電極板は少なくとも一方に開口を有している。そのため、振動板の振動によって、開口を通してクッション部材へ空気が出入りする。クッション部材へ出入りする空気は、振動板の振動にともなってクッション部材を通過することにより、含まれる異物が表面積の大きなクッション部材に捕集される。その結果、クッション部材は、空気に含まれる異物を捕集する集塵機能を発揮する。空気中の異物はクッション部材によって捕集されるため、振動板への異物の付着が低減される。さらに、このクッション部材を交換可能とすることにより、捕集された異物が増加すると、クッション部材は容易に交換される。これらの結果、スピーカとしての体格を維持しつつ、集塵機としての機能も発揮する。したがって、占有する空間および体格の大型化を低減することができるとともに、長期間安定した音質を維持することができる。
【発明を実施するための最良の形態】
【００１５】
以下、本発明による集塵機能付きスピーカの複数の実施形態を図面に基づいて詳細に説明する。なお、複数の実施形態において実質的に同一の構成部位には同一の符号を付し、説明を省略する。
（第１実施形態）
本発明の第１実施形態による集塵機能付きスピーカ（以下、単に「スピーカ」という。）を図１に示す。図１（Ａ）は、第１実施形態によるスピーカ１０の概略を示す断面図であり、（Ｂ）は（Ａ）の矢印Ｂ方向から見た矢視図である。
【００１６】
スピーカ１０は、電極板１１および電極板１２を備えている。電極板１１と電極板１２とは、ほぼ平行に配置されている。これにより、電極板１１と電極板１２とは、一対の電極を形成している。電極板１１および電極板１２は、例えば金属などの導電性の材料から板状に形成されている。また、電極板１１および電極板１２は、樹脂製のシートの表面に導電膜を形成したものでもよい。電極板１１および電極板１２は、数ｍｍ程度の厚さに設定されている。なお、図１では、説明の簡単のため電極板１１および電極板１２をはじめとする各部位の厚さを拡大して示している。
【００１７】
電極板１１および電極板１２は、開口１３を有している。開口１３は、電極板１１および電極板１２の板厚方向に貫いて形成されている。電極板１１および電極板１２の開孔率は、任意に設定することができるが、４０％から６０％程度に設定することが好ましい。開口１３は、電極板１１および電極板１２に任意に配置することができる。なお、開口１３は、本実施形態のように電極板１１および電極板１２の双方に設けてもよく、一対の電極板１１または電極板１２のうち少なくともいずれか一方に設けてもよい。開口１３を一方の電極板１１、１２に設ける場合、外気に面している側の電極板に開口１３を形成することが望ましい。また、開口１３を形成した電極板１１および電極板１２に限らず、例えば網状の電極板を用いて、網目を開口として用いてもよい。
【００１８】
一対の電極板１１と電極板１２との間には、振動板１４が挟まれている。振動板１４は、例えばＰＥＴ（ポリエチレンテレフタレート）などの樹脂製のフィルムの表面に導電膜を形成したものである。導電膜としては、例えば金属の蒸着膜、あるいはカーボン粒子を塗布したものなどを用いることができる。振動板１４を形成するフィルムは、数μｍ程度の厚さに設定されている。
【００１９】
電極板１１と振動板１４との間、および電極板１２と振動板１４との間には、それぞれ枠部材１５が設けられている。枠部材１５は、電極板１１、電極板１２および振動板１４をそれぞれ所定の間隔で支持している。枠部材１５は、例えば塩化ビニルなどの樹脂で形成されている。電極板１１、電極板１２、振動板１４および枠部材１５を組み付けたとき、スピーカ１０は厚さが数ｍｍから数十ｍｍ程度の薄い板状に形成される。
【００２０】
電極板１１と振動板１４との間には、枠部材１５によって所定の空間２１が形成される。同様に、電極板１２と振動板１４との間にも、枠部材１５によって所定の空間２２が形成される。これらの空間２１および空間２２には、クッション部材３１およびクッション部材３２がそれぞれ設けられている。クッション部材３１は、電極板１１と振動板１４との間の空間２１に設けられ、電極板１１と振動板１４との間の距離を一定に維持している。同様に、クッション部材３２は、電極板１２と振動板１４との間の空間２２に設けられ、電極板１２と振動板１４との間の距離を一定に維持している。
【００２１】
クッション部材３１およびクッション部材３２は、いずれも柔軟で弾性力がありかつ通気性のある材料で形成されている。クッション部材３１およびクッション部材３２は、例えばＰＥＴ樹脂の不織布、ＨＥＰＡ（High Efficiency Particulate Air Filter）、あるいは発泡樹脂などで形成されている。このようなクッション部材３１およびクッション部材３２は、空気中の塵や埃などの異物を捕集する表面積が非常に大きい。そのため、クッション部材３１およびクッション部材３２を空気が通過することにより、空気中の異物はクッション部材３１およびクッション部材３２に捕集される。クッション部材３１およびクッション部材３２は、必要に応じて空間２１および空間２２に出し入れ可能である。
【００２２】
クッション部材３１およびクッション部材３２は、例えばコロナ放電などにより帯電している。これにより、クッション部材３１およびクッション部材３２を通過する空気中の異物は、帯電しているクッション部材３１およびクッション部材３２との静電引力によっても捕集される。その結果、空気中の異物の捕集能力は向上する。
【００２３】
スピーカ１０は、昇圧トランス１６、パワーアンプ１７および集塵用アンプ１８を備えている。電極板１１および電極板１２は、それぞれ昇圧トランス１６と電気的に接続している。また、振動板１４には、数ｋＶのバイアス電圧が加えられている。昇圧トランス１６から電極板１１と電極板１２とには正負が逆転した電圧が加えられる。これにより、パワーアンプ１７から音声信号に応じた電気信号を電極板１１および電極板１２へ出力することにより、電極板１１および電極板１２と振動板１４との間のクーロン力が変化し振動板１４は振動する。振動板１４の振動によって生じた音は、電極板１１および電極板１２の開口１３を経由して外部へ放出される。
【００２４】
振動駆動部としての集塵用アンプ１８は、パワーアンプ１７へ音声信号が入力されていないとき、電極板１１および電極板１２へ電気信号を出力する。これにより、パワーアンプ１７へ音声信号が入力されていないとき、すなわちスピーカ１０から音声が発せられていないとき、振動板１４は集塵用アンプ１８からの出力信号にしたがって振動する。集塵用アンプ１８は、例えば０．１Ｈｚ程度の可聴範囲から外れた周波数の電気信号を出力する。これにより、集塵用アンプ１８から出力される電気信号によって振動板１４が振動しても、生じる音を人が聞き取ることはできない。
【００２５】
スピーカ１０から音声を発するとき、音声信号に応じたパワーアンプ１７からの出力信号によって振動板１４は振動する。このとき、スピーカ１０の外部の空気は、電極板１１、１２の開口１３からクッション部材３１、３２へ出入りする。電極板１１、１２の開口１３からクッション部材３１、３２へ流入した空気は、クッション部材３１、３２によって異物が捕集される。そして、クッション部材３１、３２で浄化された空気は、電極板１１、１２の開口１３を経由してスピーカ１０の外部へ放出される。したがって、スピーカ１０では、音声を発するというスピーカ１０本来の機能を発揮しつつ、空気中の異物が捕集される。
【００２６】
一方、スピーカ１０から音声を発しないとき、すなわち音声信号の入力がないとき、集塵用アンプ１８は可聴範囲外の低周波の電気信号を電極板１１、１２へ出力する。これにより、振動板１４は、人に聞き取ることができない程度の周波数で振動する。振動板１４を低周波で振動させることにより、流速の小さな比較的大量の空気が電極板１１、１２の開口１３からクッション部材３１、３２へ出入りする。
【００２７】
以上のようにパワーアンプ１７から電極板１１、１２へ電気信号が出力されているとき、および集塵用アンプ１８から電極板１１、１２へ電気信号が出力されているときのいずれも、振動板１４には数ｋＶ程度のバイアス電圧が加えられている。そのため、振動板１４は帯電している。その結果、クッション部材３１、３２側へ流入した空気に含まれる異物は、振動板１４との間に発生する静電引力によってクッション部材３１、３２を振動板１４側へ移動する。空気に含まれる異物がクッション部材３１、３２を通過することにより、比較的大きな異物はクッション部材３１、３２が形成する網目によって捕集される。
【００２８】
また、クッション部材３１、３２も帯電しているため、クッション部材３１、３２を通過する空気中の異物はクッション部材３１、３２との間に発生する静電引力によってもクッション部材３１、３２に捕集される。そのため、空気に含まれるナノメートルオーダーの微小な異物も、帯電しているクッション部材３１、３２によって捕集される。さらに、クッション部材３１、３２の帯電による静電引力によって捕集された異物は、クッション部材３１、３２に強固に吸着され、スピーカ１０の外部への再放出が低減される。
【００２９】
クッション部材３１およびクッション部材３２は、電極板１１および電極板１２と振動板１４との間の空間２１または空間２２に出し入れ可能である。そのため、長期の使用によってクッション部材３１およびクッション部材３２の汚染が進行したとき、クッション部材３１およびクッション部材３２は交換することができる。
【００３０】
以上説明したように、第１実施形態では、スピーカ１０の電極板１１および電極板１２と振動板１４との間には、それぞれ交換可能なクッション部材３１およびクッション部材３２が設けられている。スピーカ１０の作動にともなう振動板１４の振動により電極板１１および電極板１２の開口１３から帯電した振動板１４側へ流入する空気中の異物は、クッション部材３１およびクッション部材３２を通過することによりクッション部材３１およびクッション部材３２に捕集される。したがって、スピーカ１０本来の音声を発するという機能を発揮しつつ、集塵機としても機能を発揮することができる。このように、スピーカ１０の構成を維持したまま集塵機としての機能を達成するため、占有スペースの増大および体格の大型化を招くことがない。また、空気中の異物はクッション部材３１およびクッション部材３２によって捕集される。そのため、振動板１４に付着する空気中の異物は低減される。これにより、長期間作動しても、付着した異物による振動板１４の振動不良は生じにくい。したがって、長期間安定した音質を維持することができる。
【００３１】
また、第１実施形態では、クッション部材３１およびクッション部材３２は帯電している。そのため、クッション部材３１およびクッション部材３２は、静電引力によって網目状のフィルタでは捕集できないナノメートルオーダーの微細な異物も捕集する。したがって、アレルギーの原因となる例えば花粉、ハウスダストあるいはタバコの煙、および疾病の原因となるウィルスなどの微小な異物も精度よく捕集することができる。
【００３２】
さらに、第１実施形態では、スピーカ１０として音を発していないとき、可聴範囲外の低周波で振動板１４は振動する。そのため、スピーカ１０として機能していないとき、空気中の異物を除去する集塵機としてほとんど音を発することなく機能する。したがって、スピーカ１０と集塵機との機能を両立させることができる。
【００３３】
（第２実施形態）
本発明の第２実施形態によるスピーカを図２に示す。
第２実施形態の場合、スピーカ１０は、集塵カセット４０を備えている。集塵カセット４０は、クッション部材３３の周縁を支持する支持部４１を有している。支持部４１は、例えば塩化ビニルなどの樹脂で形成されている。集塵カセット４０は、電極板１１と振動板１４との間に形成される空間２１、および電極板１２と振動板１４との間に形成される空間２２よりもやや小さく形成されている。そのため、集塵カセット４０は、これらの空間２１および空間２２に着脱可能である。
【００３４】
クッション部材３３は、長期の使用によって空気中の異物を捕集し汚染される。そのため、定期的に交換することが望ましい。第２実施形態では、クッション部材３３を集塵カセット４０として形成している。これにより、集塵カセット４０を空間２１、２２に着脱することにより、クッション部材３３の交換を容易にすることができる。
【００３５】
（第３実施形態）
本発明の第３実施形態によるスピーカを図３に示す。
第３実施形態では、スピーカ１０は、クッション部材駆動手段としての巻き取り装置５０を備えている。巻き取り装置５０は、スピーカ１０の一方の端部側に設けられている新品ローラ５１、５２と、他方の端部側に設けられている使用済みローラ５３、５４とを有している。新品ローラ５１、５２および使用済みローラ５３、５４は、巻き取り部を構成している。クッション部材３４、３５は、帯状に形成されており、一端が新品ローラ５１、５２に巻かれ、他端が使用済みローラ５３、５４に巻かれている。新品ローラ５１、５２に巻かれている未使用のクッション部材３４、３５は、他端が使用済みローラ５３、５４によって巻き取られる。これにより、定期的に巻き取り装置５０を駆動することにより、クッション部材３４、３５は新品ローラ５１、５２側から使用済みローラ５３、５４側へ巻き取られる。その結果、電極板１１と振動板１４との間の空間２１、および電極板１２と振動板１４との間の空間２２には、定期的に清浄なクッション部材３４、３５が導入される。
【００３６】
第３実施形態では、クッション部材３４、３５は定期的に清浄な部分が空間２１および空間２２に位置する。したがって、空気中の異物を捕集し汚染されたクッション部材３４、３５は容易に交換することができる。
【００３７】
（第４実施形態）
本発明の第４実施形態によるスピーカを図４に示す。
第４実施形態では、スピーカ１０は、クッション部材駆動手段としての循環駆動装置６０を備えている。循環駆動装置６０は、循環駆動部としての駆動ローラ６１および駆動ローラ６２を有している。駆動ローラ６１および駆動ローラ６２は、スピーカ１０の両端部にそれぞれ設けられている。クッション部材３６は、環状に形成されている。クッション部材３６は、一方の端部が駆動ローラ６１に支持され、他方の端部が駆動ローラ６２によって支持されている。駆動ローラ６１および駆動ローラ６２が回転することにより、クッション部材３６は電極板１１と振動板１４との間の空間２１、および電極板１２と振動板１４との間の空間２２を通して循環する。
【００３８】
また、循環駆動装置６０は、吸着部としての吸着ローラ６３を有している。吸着ローラ６３は、循環するクッション部材３６と接している。クッション部材３６が吸着ローラ６３に接することにより、クッション部材３６に付着した異物は吸着ローラ６３によって除去される。このように、クッション部材３６は、吸着ローラ６３によって付着した異物が除去されつつ、空間２１および空間２２を循環する。
【００３９】
第４実施形態では、クッション部材３６は、循環駆動装置６０によって循環されることにより、清浄な部分が空間２１および空間２２に位置する。したがって、空気中の異物を捕集し汚染されたクッション部材３６は容易に交換することができる。
【００４０】
（その他の実施形態）
以上説明した複数の実施形態では、集塵機能付きのスピーカ１０を例に説明した。しかし、構成および機能を上記の複数の実施形態と同一にしつつスピーカ機能付きの集塵機、あるいはスピーカ機能付きの空気清浄機と考えてもよい。
【図面の簡単な説明】
【００４１】
【図１】（Ａ）は本発明の第１実施形態によるスピーカの概略を示す断面図、（Ｂ）は（Ａ）の矢印Ｂ方向から見た矢視図。
【図２】（Ａ）は本発明の第２実施形態によるスピーカの概略を示す断面図、（Ｂ）は第２実施形態によるスピーカの集塵カセットの概略を示す平面図。
【図３】本発明の第３実施形態によるスピーカの概略を示す断面図。
【図４】本発明の第４実施形態によるスピーカの概略を示す断面図。
【符号の説明】
【００４２】
１０：スピーカ、１１：電極板、１２：電極板、１３：開口、１４：振動板、２１：空間、２２：空間、３１、３２、３３、３４、３５、３６：クッション部材、４０：集塵カセット、４１：支持部、５０：巻き取り装置（クッション部材駆動手段）、５１：新品ローラ（巻き取り部）、５３：使用済みローラ（巻き取り部）、６０：循環駆動装置（クッション部材駆動手段）、６１、６２：駆動ローラ（循環駆動部）、６３：吸着ローラ（吸着部）
【図１】
2008148195.tif 000003
【図２】
2008148195.tif 000004
【図３】
2008148195.tif 000005
【図４】
2008148195.tif 000006